(57)【要約】  第１の装置と第２の装置との間のテレビ会議を強化するためのコンピュータ実装方法。本方法は、第１の装置において、選択可能な動画表現の選択を介して、選択可能な動画の選択を受信することであって、選択可能な動画がテレビ会議を強化するために構成されることと、該選択可能な動画の選択をテレビ会議に組み込むことと、を含む。
2015505175.tif 000002
【特許請求の範囲】
【請求項１】
第１の装置と第２の装置との間のテレビ会議を強化するためのコンピュータ実装方法であって、
前記第１の装置で、選択可能な動画表現の選択を介して、選択可能な動画の選択を受信することであって、前記選択可能な動画が前記テレビ会議を強化するために構成されることと、
前記選択可能な動画の前記選択を前記第２の装置においてキャプチャされる映像に組み込むことと、を含む、方法。
【請求項２】
前記第１の装置において一組の選択可能な動画表現を表示することをさらに含む、請求項１に記載のコンピュータ実装方法。
【請求項３】
一組の選択可能な動画表現を表す選択可能な画像を表示することをさらに含み、それにより、前記選択可能な画像の選択が前記一組の選択可能な動画の表示をレンダリングする、請求項１に記載のコンピュータ実装方法。
【請求項４】
前記選択可能な画像の選択を受信することに応答して、前記一組の選択可能な動画表現を表示することをさらに含む、請求項３に記載のコンピュータ実装方法。
【請求項５】
前記一組の選択可能な動画表現の前記表示は、
前記第１の装置の表示スクリーン上の現在のコントロールバーと置き換わる動画コントロールバー内に前記一組の選択可能な動画表現を表示することを含む、請求項４に記載のコンピュータ実装方法。
【請求項６】
前記一組の選択可能な動画表現の前記表示は、
前記一組の選択可能な動画表現をリスト形式で表示することを含む、請求項４に記載のコンピュータ実装方法。
【請求項７】
前記一組の選択可能な動画表現の前記表示は、
前記一組の選択可能な動画表現をカルーセル形式で表示することを含む、請求項４に記載のコンピュータ実装方法。
【請求項８】
前記第１の装置において、前記テレビ会議内に組み込まれた前記選択可能な動画の前記選択を操作することをさらに含む、請求項１に記載のコンピュータ実装方法。
【請求項９】
前記第２の装置において、前記テレビ会議内に組み込まれる前記選択可能な動画の前記選択を操作することをさらに含む、請求項１に記載のコンピュータ実装方法。
【請求項１０】
前記テレビ会議の最後に、一組の選択可能な動画表現に関連する購入情報を前記第２の装置に表示することをさらに含む、請求項１に記載のコンピュータ実装方法。
【請求項１１】
前記テレビ会議の最後に、一組の選択可能な動画表現に関連する購入情報を前記第１の装置に表示することをさらに含む、請求項１に記載のコンピュータ実装方法。
【請求項１２】
前記選択可能な動画が、前記第１の装置および／または前記第２の装置において操作されるように構成される、請求項１に記載のコンピュータ実装方法。
【請求項１３】
前記選択可能な動画が、前記テレビ会議の任意の時点で映像内に組み込まれるように構成される、請求項１に記載のコンピュータ実装方法。
【請求項１４】
テレビ会議に参加するために構成される装置であって、
第２の装置においてキャプチャされる映像を表示するために前記装置上に配置される表示装置と、
選択可能な動画表現の選択を介して、選択可能な動画の選択を受信するために構成される動画選択受信装置であって、前記選択可能な動画が前記テレビ会議を強化するために構成される、動画選択受信装置と、
前記選択可能な動画の前記選択を、前記第２の装置においてキャプチャされる前記映像中に組み込むように構成される動画組み込み装置と、を備える、装置。
【請求項１５】
前記選択可能な動画の前記選択を含む前記映像を送信するための送信装置をさらに備え、前記選択を含む前記映像が前記第２の装置に表示されるように構成される、請求項１４に記載の装置。
【請求項１６】
前記選択可能な動画の前記選択を操作するように構成される動画操作装置をさらに備える、請求項１４に記載の装置。
【請求項１７】
前記動画組み込み装置が、テレビ会議中の任意の時点で前記選択可能な動画の前記選択を映像に組み込むように構成される、請求項１４に記載の装置。
【請求項１８】
タッチスクリーン表示装置をさらに備える、請求項１４に記載の装置。
【請求項１９】
ビデオカメラをさらに備える、請求項１４に記載の装置。
【請求項２０】
マイクロフォンをさらに備える、請求項１４に記載の装置。
【請求項２１】
実行されるとき、コンピュータ処理装置に、
第１の装置における選択可能な動画表現の選択を介して、選択可能な動画の選択を受信することであって、前記選択可能な動画がテレビ会議を強化するために構成されることと、
前記選択可能な動画の前記選択を前記第２の装置においてキャプチャされる映像に組み込むことと、
第２の装置において、前記選択可能な動画に関連する購入情報を表示することと、を含む方法を行わせる、記憶された命令を上に有する非一時的なコンピュータ可読記憶媒体。
【請求項２２】
前記第１の装置において、前記選択可能な動画に関連する前記購入情報を表示するための命令をさらに含む、請求項２１に記載の非一時的なコンピュータ可読記憶媒体。
【請求項２３】
前記表示は、
前記テレビ会議の最後に前記第２の装置において、前記選択可能な動画に関連する前記購入情報を表示することを含む、請求項２１に記載の非一時的なコンピュータ可読記憶媒体。
【請求項２４】
前記第１の装置における、前記選択可能な動画に関連する前記購入情報の前記表示は、
前記テレビ会議の最後に前記第１の装置において、前記選択可能な動画に関連する前記購入情報を表示することを含む、請求項２３に記載の非一時的なコンピュータ可読記憶媒体。
【請求項２５】
前記第２の装置における、前記選択可能な動画に関連する前記購入情報の前記表示は、
ユーザに有料で限られた日数の間利用可能である動画パッケージを表示することを含む、請求項２１に記載の非一時的なコンピュータ可読記憶媒体。
【請求項２６】
前記第２の装置における、前記選択可能な動画に関連する前記購入情報の前記表示は、
ユーザに無料で限られた日数の間利用可能である動画パッケージを表示することを含む、請求項２１に記載の非一時的なコンピュータ可読記憶媒体。
【請求項２７】
前記第２の装置における、前記選択可能な動画に関連する購入情報の前記表示は、
第１の組の選択可能な購入情報画像を表示することを含み、それにより、前記第１の組の選択可能な購入情報画像の選択を受信することに応答して、第１の組の前記購入情報の詳細を表示する、請求項２１に記載の非一時的なコンピュータ可読記憶媒体。
【請求項２８】
前記第２の装置における、前記選択可能な動画に関連する購入情報の前記表示は、
第２の組の選択可能な購入情報画像を表示することを含み、それにより、前記第２の組の第２の選択可能な購入情報画像の選択を受信することに応答して、第２の組の前記購入情報の詳細を表示する、請求項２１に記載の非一時的なコンピュータ可読記憶媒体。
【発明の詳細な説明】
【技術分野】
【０００１】
本出願は、「ＡＵＧＭＥＮＴＩＮＧ  Ａ  ＶＩＤＥＯ  ＣＯＮＦＥＲＥＮＣＥ」と題される、２０１１年１２月１日に出願された米国特許出願第１３／３０９，４１０号に関連し、その利益を主張し、これは参照により本明細書に組み込まれる。
【背景技術】
【０００２】
テレビ会議の参加者は、音声／映像信号を互いに送信することによって、互いに通信する。例えば、参加者は、双方向の映像および音声送信を介して同時に対話することが可能である。しかしながら、参加者は、マイクロフォンによってキャプチャされるキャプチャされた音声、およびビデオカメラによってキャプチャされる映像信号に基づくのみでは、互いに通信を試みていることを十分に伝えられないことがある。
【発明の概要】
【０００３】
概して、本書は第１の装置と第２の装置との間のテレビ会議を強化するためのコンピュータ実装方法を開示する。本方法は、第１の装置において、選択可能な動画表現の選択を介して、選択可能な動画の選択を受信することであって、選択可能な動画がテレビ会議を強化するために構成されることと、選択可能な動画の選択をテレビ会議に組み込むことと、を含む。
【図面の簡単な説明】
【０００４】
【図１】実施形態に従う装置の例を例示する。
【図２】実施形態に従う装置の例を例示する。
【０００５】
【図３】実施形態に従う装置の一例を例示する。
【０００６】
【図４】実施形態に従うテレビ会議を強化するための方法の一例を例示する。
【０００７】
【図５】実施形態に従うテレビ会議を強化するための方法の一例を例示する。
【図６】実施形態に従う装置の一例を例示する。
【０００８】
本記載において参照される図面は、具体的に注意書きがなされている場合を除き、原寸に比例して描かれてはいないことを理解されたい。
【発明を実施するための形態】
【０００９】
ここで本技術の実施形態を詳細に参照し、その例が付随する図面に例示されている。本技術は様々な実施形態（複数可）と併せて記載されるが、それらは本技術をそれらの実施形態に限定すると意図されないことを理解されたい。反対に、本技術は代替物、修正品、および同等品を網羅することが意図されており、それらは、添付の特許請求の範囲によって定義される通り、様々な実施形態の趣旨および範囲内に含まれ得る。
【００１０】
さらに、実施形態の以下の記載において、本技術の完全な理解を提供するために数多くの具体的な詳細が明記される。しかしながら、本技術は、それらの具体的な詳細なしで実践されてもよい。他の例では、本実施形態の態様を不必要に不明瞭としないために、よく知られた方法、手順、構成要素、および回路は詳細には記載されていない。
【００１１】
図１は、装置１００の一実施形態を示す。装置１００は、テレビ会議の参加のために構成される。図２は、テレビ会議に参加する装置１００および２００を示す。一般的に、テレビ会議は、多方向の映像および音声の送信を介して２つ以上の場所が同時に対話することを可能とする。
【００１２】
以下の説明では、最初に装置１００の構成要素を記載する。説明は次に、装置１００と２００との間のテレビ会議中の装置１００の構成要素の機能性を記載する。装置１００および２００は、テレビ会議に参加することのできる任意の通信装置（例えば、ラップトップ、デスクトップ、スマートフォン、タブレット、テレビ等）である。様々な実施形態において、装置１００はスマートフォン、携帯用情報端末（ＰＤＡ）等の携帯移動式装置である。
【００１３】
さらに、明確および簡潔にするために、説明は装置１００の構成要素および機能性に焦点を当てる。しかしながら、装置２００は、装置１００と類似の方法で動作する。１つの実施形態において、装置２００は装置１００と同一であり、装置１００と同一の構成要素を含む。
【００１４】
装置１００は、表示装置１１０、動画選択受信装置１２０、動画組み込み装置１３０、送信装置１４０、カメラ１５０、マイクロフォン１５２、およびスピーカ１５４を含む。装置１００は、任意に全地球測位システム１６０を含む。
【００１５】
表示装置１１０は、装置２００においてキャプチャされる映像を表示するように構成される。別の実施形態において、表示装置１１０は、装置１００においてキャプチャされる映像を表示するためにさらに構成される。
【００１６】
動画選択受信装置１２０は、選択可能な動画に接続するために構成される。選択可能な動画はテレビ会議を強化するために構成され、これは以下に詳細に記載される。
【００１７】
動画組み込み装置１３０は、選択可能な動画の選択１９０をテレビ会議に組み込むように構成される。例えば、動画組み込み装置１３０は、選択可能な動画を装置１００および／または装置２００でキャプチャされる映像に組み込むように構成される。１つの実施形態において、動画組み込み装置１３０は、テレビ会議の動画の操作を可能にするように構成される動画操作装置１３５を備える。
【００１８】
送信装置１４０は、データ（例えば、動画、制御コード）を送信するためのものである。
【００１９】
任意に、装置１００は、ビデオカメラ１５０、マイクロフォン１５２、スピーカ１５４、および全地球測位システム１６０のうちの１つ以上を備える。ビデオカメラ１５０は、装置１００における映像をキャプチャするためのものである。マイクロフォン１５２は、装置１００における音声をキャプチャするためのものである。スピーカ１５４は、装置１００における可聴信号を生成するためのものである。
【００２０】
全地球測位システム１６０は、装置１００の場所を判定するためのものである。
【００２１】
ここで図２を参照すると、装置１００および２００が互いにテレビ会議に参加している。様々な実施形態において、２つ以上の装置が互いにテレビ会議に参加する。
【００２２】
テレビ会議中、ビデオカメラ２５０は、装置２００における映像をキャプチャする。例えば、ビデオカメラ２５０は、装置２００のユーザ２０５の映像をキャプチャする。
【００２３】
ビデオカメラ１５０は、装置１００における映像をキャプチャする。例えば、ビデオカメラ１５０は、ユーザ１０５の映像をキャプチャする。ビデオカメラ１５０および２５０は、カメラ１５０および２５０のそれぞれの視野範囲内のいかなる対象をもキャプチャすることを理解されたい。
【００２４】
マイクロフォン１５２は、装置１００においてキャプチャされる映像信号に対応する音声信号をキャプチャする。同様に、装置２００のマイクロフォンは、装置２００においてキャプチャされる映像信号に対応する音声信号をキャプチャする。
【００２５】
装置２００においてキャプチャされる映像は、装置１００の表示装置１１０に送信され、表示される。例えば、ユーザ２０５の映像は、表示装置１１０の第１のビュー１１２上に表示される。さらに、ユーザ２０５の映像は、表示装置２１０のビュー２１４上に表示される。
【００２６】
装置１００においてキャプチャされる映像は、装置２００の表示装置２１０に送信され、表示される。例えば、ユーザ１０５の映像は、表示装置２１０の第１のビュー２１２上に表示される。さらに、ユーザ１０５の映像は、表示装置１１０の第２のビュー１１４上に表示される。
【００２７】
１つの実施形態において、装置１００および２００でキャプチャされる音声信号は、キャプチャされる映像に組み込まれる。別の実施形態においては、音声信号は、送信される映像とは別に送信される。
【００２８】
示されるように、第１のビュー１１２は、表示装置１１０上に表示される一次ビューであり、第２のビュー１１４は、表示装置１１０上に表示される、より小さい二次ビューである。様々な実施形態において、第１のビュー１１２および第２のビュー１１４の両方のサイズが調整可能である。例えば、第２のビュー１１４は、一次ビューになるように拡大されてもよく、ビュー１１２は、二次ビューになるようにサイズを縮小されてもよい。さらに、ビュー１１２および１１４のいずれか１つは、それが不可視となるように、閉じるか、あるいは完全に縮小されてもよい。
【００２９】
動画選択受信装置１２０は、テレビ会議を強化するために、選択可能な動画表現（例えば、動画を表現する画像）の選択を受信することを介して、選択可能な動画の選択１９０を受信する。動画は一連の絵柄またはフレームを表示することによって作成される動きのシミュレーションである。実施形態において、動画自体は、サーバまたは装置２００から装置１００で受信されてもよく、動画は異なる時点で受信されてもよい。例えば、動画は、ログイン中に強化アプリケーションが装置１００にダウンロードされたときに、あるいは動画がテレビ会議に組み込まれるように命じられたときにリアルタイムで、受信されることができる。さらに動画は、これらに限定されないが、テレビ会議アプリケーションとともにダウンロードされることによって、選択の一部として後でダウンロードされることによって（例えば、デジタルカタログ）、通話中にダウンロードされることによって、ユーザがアプリケーションと情報を交換するときにダウンロードされることによって、アプリケーションが更新されるときにダウンロードされることによって、受信されることができる。
【００３０】
図２および６に示される一組の選択可能な動画表現１９１（例えば、星、ヤシの木、花、雨雲）は、動画の多数の例のほんの一部である。一組の選択可能な動画表現１９１は、１つ以上の選択可能な動画表現を含み得ることを理解されたい。動画はテレビ会議を強化することのできる任意のオブジェクトであり得ることを理解されたい。言い換えると、動画は、テレビ会議の参加者間の通信を補完することができる任意のオブジェクトであり得る。例えば、動画は、これらに限定されないが、口づけ、ハート、絵文字、ハイタッチ、背景（写真シール機のような効果）、色空間変更、および／または画像処理変更（例えば、痩せる、太る）、あるいはアバターであり得る。
【００３１】
可視動画に限定されないこともまた理解されたい。例えば、動画は複数の音のうちの１つ、または音および映像であってもよい。加えて、動画は、予め決められている必要はない。例えば、動画の表示は、アプリケーションのユーザとの交流の結果であり得る。
【００３２】
１つの実施形態において、一組の選択可能な動画表現１９１は、ユーザ１０５が見るために表示装置１１０上に表示される。例えば、一組の選択可能な動画表現１９１は、動画表示バー１９２上に表示される。１つの実施形態において、動画表示バー１９２は、第１のビュー１１２とオーバーレイされる。別の実施形態では、動画表示バー１９２は、第１のビュー１１２および／または第２のビュー１１４と同時に表示される。
【００３３】
様々な実施形態において、動画表示バー１９２は、これらに限定されないが、キー入力、カーソルの移動、タッチスクリーン上の検出されたタッチ、およびユーザによる指定された移動（例えば、表情、ウィンク、投げキッス、手振り等）といったユーザ入力に応答して表示される。
【００３４】
動画組み込み装置１３０は、テレビ会議への選択可能な動画１９０の組み込みを容易にする。１つの実施形態において、装置１００で、動画組み込み装置１３０は、選択可能な動画１９０を装置２００においてキャプチャされる映像に組み込む。例えば、選択可能な動画１９０はユーザ２０５の頭の上に組み込まれる。したがって、示されるように、装置２００においてキャプチャされる映像は、選択可能な動画１９０とともに組み込まれ、強化された映像が少なくとも装置２００において表示される。また、組み込まれた選択可能な動画１９０により強化された映像は、装置１００で表示される。
【００３５】
１つの実施形態では、ユーザ１０５は動画表示バー１９２内の選択可能な動画１９０を選択し、選択可能な動画１９０をユーザ１０５により指定された場所（例えば、第１のビュー１１２に表示されるようなユーザ２０５の頭の上）にドラッグし、それを配置する。いったん指定された場所に配置されると、動画組み込み装置１３０は、指定された場所に動画を組み込む。
【００３６】
別の実施形態では、動画組み込み装置１３０は制御コードを生成する。制御コードは、どのように選択可能な動画１９０が装置２００においてキャプチャされる映像内に組み込まれるかを命じる。
【００３７】
例えば、制御コードが、装置２００にどのように選択可能な動画１９０が装置２００で表示される映像内に組み込まれるかを命じるために、装置２００に直接送信されてもよい。そのような例において、制御コードは装置２００に、選択可能な動画１９０がテレビ会議において表示されるという信号を送るか、あるいはそれを命じる。別の例では、制御コードがサーバに送られ、次に装置２００がサーバおよび／または対応する動画から制御コードを受信する。
【００３８】
図２は、テレビ会議に組み込まれた選択可能な動画１９０を示す。しかしながら、任意の数の選択可能な動画が、任意の時点でテレビ会議に組み込まれてもよいことを理解されたい。例えば、一組の選択可能な動画表現から選択される選択可能な動画表現で表現される５つの異なる動画が、テレビ会議に同時に組み込まれ得る。
【００３９】
本明細書中で使用される用語「組み込む」は、選択可能な動画１９０が、テレビ会議の一部分とともに単に表示されることを説明するために使用されることを理解されたい。したがって、選択可能な動画１９０は、テレビ会議の一部分とともに同時に単に表示される。したがって、選択可能な動画１９０は、映像に組み込まれるものとして理解される。しかしながら、選択可能な動画１９０は、ビデオストリームと統合されるか、あるいはその一部となるとは理解されない。
【００４０】
１つの実施形態において、選択可能な動画１９０は映像上のオーバーレイとして重ねられる。したがって、選択可能な動画１９０は、装置１００および２００上に表示されるオーバーレイとして同時に重ねられる。例えば、選択可能な動画１９０が、ビュー１１２およびビュー２１４内に表示される映像上に（図２に示されるように）同時にオーバーレイされ、選択可能な動画が、ビュー１１４およびビュー２１２内に表示される映像上に（図６に示されるように）同時にオーバーレイされ得る。
【００４１】
別の実施形態において、選択可能な動画１９０は、テレビ会議のビットストリーム中に統合される。
【００４２】
別の例において、選択可能な動画１９０は、ビュー１１２およびビュー２１２で表示される映像上に同時にオーバーレイされる。また選択可能な動画１９０は、装置におけるビューから独立して表示装置の一部に表示され、双方向映像がアクティブであることを必要としない（例えば、一方向映像がアクティブであり得る）。
【００４３】
本明細書に記載される様々な実施形態は、互いの組み合わせにおいても使用可能であることに留意されたい。つまり、１つの記載された実施形態は、１つ以上の他の記載された実施形態と組み合わせて使用され得る。
【００４４】
１つの実施形態において、送信装置１４０は次いで、選択可能な動画１９０を含む映像が表示装置２１０上に表示されるように、装置２００でキャプチャされた、選択可能な動画１９０を含んだ映像を装置２００（以下、「第２の装置２００」とも別称される）に送信する。別の実施形態において、送信装置１４０は制御コードを装置２００（またはサーバ）に送信し、装置２００にどのように選択可能な動画１９０がテレビ会議に組み込まれるかを命じる。
【００４５】
動画操作装置１３５は、組み込まれる選択可能な動画１９０を操作する。１つの実施形態において、選択可能な動画１９０が、装置１００において操作される。例えば、タッチスクリーンにおけるユーザの入力に応答して、ユーザ１０５は選択可能な動画１９０を時計方向に回転させる。結果として、装置２００においてキャプチャされた（そして装置１００および／または装置２００上に表示された）映像は、選択可能な動画１９０が時計方向に回転するように、強化される。
【００４６】
別の実施形態において、選択可能な動画１９０は、装置２００において操作される。例えば、ユーザ２０５が彼の頭を左から右へ動くことに応答して、選択可能な動画１９０が、ユーザ２０５の頭の動きにつれて左から右に動くように、（装置２００の動画操作装置を介して）操作される。結果として、装置２００においてキャプチャされた（そして装置１００および／または装置２００上で表示された）映像は、選択可能な動画１９０が左から右へ動かされるように強化される。
【００４７】
さらなる実施形態において、選択可能な動画１９０は、装置１００および装置２００において同時に操作される。例えば、ユーザ２０５が彼の頭を左から右へ動かし、かつユーザ１０５が選択可能な動画１９０を回転させる（上述のように）ことに応答して、選択可能な動画１９０は、それが同時に、ユーザ２０５の頭の動きにつれて左から右に動き、かつユーザ１０５からの入力に応答して回転するように操作される。結果として、装置２００においてキャプチャされた（ならびに装置１００および／または装置２００上に表示された）映像は、選択可能な動画１９０が左から右に動き、同時に時計方向に回転するように、強化される。
【００４８】
さらなる実施形態において、選択可能な動画１９０は指向的に操作される。例えば、ユーザ１０５は「パンチ」動画（例えば、こぶし、ボクシンググローブ）をユーザ２０５に送信する。結果として、ユーザ１０５は、表示装置１１０に入っていく「パンチ」動画を見、ユーザ２０５は、表示装置２１０から出てくる「パンチ」動画を見る。
【００４９】
動画は多様な入力に応答して操作されることを理解されたい。例えば、動画は音、身振り、表情、動き等を介して操作され得る。様々な例として、ユーザのウィンクに応答して動画（例えば、星）がユーザの目から出ていき、ユーザの口づけに応答して赤い唇がユーザの口から飛び出す。
【００５０】
１つの実施形態において、前述のように、一組の選択可能な動画表現１９１は、様々な入力のうちの少なくとも１つがあるまで、表示装置１１０および／または動画表示バー１９２上に表示されない。例えば、ハートの動画は、タッチスクリーン上にタップがあるまで表示されない。
【００５１】
いくつもの動画が、テレビ会議に組み込まれるように接続され、および／または選択され得る。１つの実施形態において、一組の選択可能な動画表現１９１は、地理関連動画である。例えば、一組の選択可能な動画１９１は、装置１００および／または２００の場所に基づく。
【００５２】
具体的には、装置１００がハワイに位置する場合、一組の選択可能な動画表現１９１はその場所に関連する。例えば、ＧＰＳ１６０により判定されたハワイの場所に基づく地理関連動画は、これらに限定されないが、サーフボード、太陽、ヤシの木、ココナッツ等であり得る。
【００５３】
場所の判定は、様々な方法によって提供され得ることを理解されたい。例えば、装置の場所の判定は、登録時にユーザによって提供される情報、装置のＩＰアドレス、または場所判定に使用され得る任意の他の方法に基づき得る。
【００５４】
別の実施形態において、一組の選択可能な動画１９１は、テレビ会議の時間に基づく時間関連動画である。例えば、テレビ会議がクリスマスの日またはその前後に行われる場合、動画はクリスマスに関連することになる（例えば、靴下、クリスマスツリー、お菓子の杖等）。別の例においては、テレビ会議が夜行われる場合、動画は夜に関連することになる（例えば、月、星、パジャマ等）。
【００５５】
さらなる実施形態において、一組の選択可能な動画表現１９１は、文化関連動画である。例えば、ユーザ１０５および／またはユーザ２０５がカナダに位置する場合、これらに限定されないが、一組の選択可能な動画表現１９１は、カナダ国旗、ホッケーのパック、カーリング用ストーン等であり得る。
【００５６】
さらに別の実施形態において、一組の選択可能な動画表現１９１は、口座の状態に基づいて入手可能であり、および／または接続される。例えば、ユーザ１０５は、一組の選択可能な動画表現１９１に接続するための支払うべき口座を有する。ユーザ１０５がその口座に対して適した支払いを提供した場合、ユーザ１０５は一組の選択可能な動画表現１９１に接続することができる。対照的に、ユーザがその口座に対して適した支払いを提供しなかった場合、ユーザ１０５は一組の選択可能な動画表現１９１に接続することができない。
【００５７】
さらに、動画の使用および選択は、イベント、祝日、特別な機会等に具体的に関連し得る。祝日は、これらに限定されないが、宗教的祝日（例えば、クリスマス、イースター、贖罪の日等）、法定休日（例えば、新年、大統領誕生日、戦没将兵追悼記念日等）、または任意の他の振替休日（公的または非公的）であり得る。イベントまたは特別な機会は、これらに限定されないが、誕生日、記念日、卒業式、結婚式、就職、退職等であり得る。
【００５８】
一例を挙げれば、感謝祭当日またはその前後において、七面鳥、かぼちゃパイ、巡礼者等の動画が選択および／または使用される。別の例では、聖パトリックの祭日またはその前後において、クローバー、金のポット、および小妖精の動画が選択ならびに／または使用される。さらなる例において、イースター当日またはその前後において、イースターのうさぎおよびイースターエッグの動画が選択および／または使用される。
【００５９】
１つの実施形態において、ユーザはイベント、祝日、特別な機会等に具体的に関連する動画を利用するように（指示メッセージによって）促される。（本明細書で使用される用語「指示メッセージ」は、ユーザに実行され得る動作を提案または思い起こさせることを提供する任意の機能性であり得ることを理解されたい。１つの実施形態において、指示メッセージは、実行され得る動作を提案するポップアップであり得る。ポップアップは、キー入力またはユーザによって実行され得る別の動作に応答して出現し得る。別の実施形態において、指示メッセージは、文字列を表示するボタン等（それはポップアップではない）であり得る。ボタン等は、ユーザに示される特定のスクリーン全体のどこかに表示され得る。）
【００６０】
例えば、米国独立記念日またはその前後において、ユーザは米国独立記念日に具体的に関連する動画（例えば、花火）を選択および／または使用するように促される。具体的には、動画がユーザに提供され、そのユーザはその動画をテレビ会議中の別のユーザに送信するように促される。言い換えると、動画はテレビ会議に組み込まれる。
【００６１】
別の実施形態において、ユーザは、参加者間の関係が疑わしい、既知である、あるいは推察される場合に、もう一方のユーザに動画を送信するように促され得る。例えば、母親が彼女の息子とテレビ会議を通して話をしている。母／息子の関係が疑わしい、既知である、あるいは推察される場合には、息子は母の日に具体的に関連する動画（例えば、花）を利用するように促される。
【００６２】
関係は、様々な方法で判定可能である。例えば、関係は、これらには限定されないが、苗字、ユーザの場所、通話記録等に基づいて判定可能である。
【００６３】
さらに、息子は、「これはあなたの母親であると思われる。正しいか？」等のメッセージで促され得る。したがって、息子が、彼が彼の母親と話していると返答する場合、息子は母の日に具体的に関連する動画（例えば、花）を利用するように促される。
【００６４】
動画は収入源を強化可能であることもまた理解されたい。例えば、１００，０００個の動画がバレンタインデーに使用され、各動画は料金＄０．５０である。結果として、バレンタインデーに料金＄５０，０００が蓄積される。
【００６５】
図３は、実施形態に従う装置の一例を例示する。選択可能な画像３０５は、（タッチを介して）選択され得る画像であり、それにより、動画表示バー１９２内の一組の選択可能な動画表現１９１をレンダリングする。
【００６６】
図４および５は、実施形態に従って、それぞれ方法４００および５００のフローチャートを示す。様々な実施形態において、方法４００および５００は、コンピュータ可読およびコンピュータ実行可能命令の制御下で、処理装置および電気構成要素によって実施される。コンピュータ可読およびコンピュータ実行可能命令は、例えば、コンピュータ使用可能揮発性および非揮発性メモリ等のデータ記憶媒体内に常駐する。しかしながら、コンピュータ可読およびコンピュータ実行可能命令は、任意のタイプのコンピュータ可読記憶媒体内に常駐し得る。いくつかの実施形態において、方法４００および５００は、図１および２に記載されるように、装置１００および／または装置２００によって実施される。
【００６７】
ここで図１〜４を参照して、方法４００の４０５において、選択可能な動画１９０の選択が、選択可能な動画表現の選択を介して、装置１００（以下、「第１の装置１００」とも別称される）において受信される。選択可能な動画１９０は、テレビ会議を強化する。方法４００の４１０において、選択可能な動画１９０の選択は、テレビ会議に組み込まれる。
【００６８】
１つの実施形態において、方法４００の４１５では、選択可能な画像３０５が表示され、一組の選択可能な動画表現１９１を表現し、そこで選択可能な画像３０５の選択は、一組の選択可能な動画表現１９１の表示をレンダリングする。さらに、１つの実施形態において、方法４００の４２０では、選択可能な画像３０５の選択を受信することに応答して、一組の選択可能な動画表現１９１が表示される。
【００６９】
１つの実施形態において、動作４２０における一組の選択可能な動画表現の表示は、第１の装置１００の表示スクリーン上の現在のコントロールバーと置き換わる動画コントロールバー１９２内への一組の選択可能な動画表現１９１の表示４２５、一組の選択可能な動画表現１９１のリスト形式での表示４３０、ならびに一組の選択可能な動画表現１９１のカルーセル形式での表示４３５のうちの１つ以上を含む。
【００７０】
１つの実施形態において、リスト形式はスクロール可能である。１つの実施形態において、上記のカルーセル形式は、動画コントロールバー１９２の片側から反対側への指のスワイプが、最初に隠れていた動画がスクリーン上に出現し、同時にもともとスクリーン上に出現していた動画が隠れるように、一組の選択可能な動画表現１９１をさらに片側に動かすような一組の選択可能な動画表現１９１を表現する形式である。さらに、１つの実施形態において、カルーセルのリストの最後に至ると、リストはまた最初から開始する。
【００７１】
さらに、１つの実施形態において、検索は、タイプ入力、または特定の主題を有する検索を作動する声を介して、所望の動画に関してでき得る。
【００７２】
別の実施形態において、方法４００の４４０では、一組の選択可能な動画表現１９１は、動画コントロールバー１９２内に表示されることなく、第１の装置１００において表示され得る。
【００７３】
１つの実施形態において、方法４００の４４５では、テレビ会議に組み込まれる動作４０５の選択は、本明細書に記載のように、第１の装置１００において操作される。方法４００の４５０では、１つの実施形態において、テレビ会議に組み込まれる動作４０５の選択は、本明細書に記載のように、装置２００において操作される。
【００７４】
１つの実施形態において、方法４００の４５５では、本明細書に記載されるように、テレビ会議の最後に、一組の選択可能な動画表現１９１に関連する購入情報が第２の装置２００に表示される。さらに別の実施形態において、方法４００の４６０では、本明細書に記載されるように、テレビ会議の最後に、一組の選択可能な動画表現１９１に関連する購入情報が第１の装置１００に表示される。
【００７５】
ここで図１、２、３、および５を参照して、１つの実施形態において、方法５００の５０５では、選択可能な動画１９０の選択が受信され、そこで選択可能な動画１９０は、テレビ会議を強化するように構成される。１つの実施形態において、方法５００の５１０では、動作５０５の選択がテレビ会議に組み込まれる。１つの実施形態において、方法５００の５１５では、選択可能な動画１９０に関連する購入情報が表示される。
【００７６】
図６は、実施形態に従う装置１００および／または２００の一例である。図１、２、５、および６を参照せずに、１つの実施形態において、方法５００の５２０では、動作５１５の表示は、第２の装置２００において、テレビ会議の最後に、選択可能な動画１９０に関連する購入情報６０５を表示することを含む。購入情報６０５は、装置１００と２００との間の通話中に使用された選択可能な動画１９０、および／または使用もしくは購入可能である任意の他の選択可能な動画に関してさらに詳細に説明する任意の情報であり得る。例えば、１つの実施形態において、購入情報６０５は、「映像効果を購入して、あなたのすべての友達ともっと映像効果を使おう！」というメッセージであり得る。
【００７７】
１つの実施形態において、本購入情報６０５は、第１の組の選択可能な購入情報画像６１５の選択可能な画像６１０上に含まれる。注目すべき、第１の組の選択可能な購入情報画像６１５は、１つ以上の選択可能な購入情報画像を含み得る。例えば、１つの実施形態において、「７日間使用パック」および「３０日間使用パック」という購入情報が、２つの別々の選択可能な購入情報画像上に出現する。
【００７８】
１つの実施形態において、方法５００の５２５では、選択可能な動画１９０に関連する購入情報６０５は、テレビ会議の最後に、第１の装置１００において表示される。しかしながら、別の実施形態において、選択可能な動画１９０に関連する購入情報６０５は、方法５００の動作５５０で示されるように、テレビ会議の最後ではない時点で第１の装置１００において表示される。例えば、図３を参照して、ユーザ１０５が、彼女が装置２００に通信されることを要望する選択可能な動画として、一組のロックされたボタン３１０のロックされたボタンを選択することを想定する。しかしながら、ロックされたボタンは、ユーザ１０５がロックされたボタンに関連する選択可能な動画に接続することを許可しない。この場合、装置１００は、テレビ会議の前および／または最中に、「設定タブ内のさらなる映像効果を購入する」という購入情報６０５を表示し得る。
【００７９】
１つの実施形態において、方法５００の５３０では、動作５１５における表示は、ユーザに有料で限られた日数の間利用可能である動画パッケージを表示することをさらに含む。例えば、購入情報は、「７日間使用パック＄１．９９」、および「３０日間使用パック＄３．９９」というメッセージであり得る。別の実施形態において、方法５００の５３５では、動作５１５における表示は、ユーザに無料で限られた日数の間利用可能である動画パッケージを表示することをさらに含む。例えば、購入情報は、「７日間使用パック無料お試し」いうメッセージであり得る。
【００８０】
さらに別の実施形態において、方法５００の５４０では、動作５１５の表示は、第１の組の選択可能な購入情報画像６１５を表示することをさらに含み、するとすぐに、第１の組の選択可能な購入情報画像６１５の選択を受信することに応答して、購入情報６０５の第１の組の詳細６２０を表示する。
【００８１】
１つの実施形態において、方法５００の５４５では、動作５１５の表示は、第２の組の選択可能な購入情報画像６２５を表示することをさらに含み、するとすぐに、第２の組の選択可能な購入情報画像６２５の選択を受信することに応答して、購入情報６０５の第２の組の詳細６３０を表示する。
【００８２】
このように、１つ以上の動画を有するテレビ会議を強化するための方法の収益化は、装置１００および／または２００のユーザに購入可能なこれらの動画の目玉商品を知らせることを含む。様々な実施形態は、ユーザが所望のおよび使い勝手のよい選択ができるようにするユーザインタフェースにオーバーレイされる一連の選択可能なタブを提供することを含む。これらの選択肢には、これらに限定されないが、ある特定の期間に対する特別な金額のパッケージの申込み、および無料動画の「事前お試し」の承認を含む。一般的に、申込みに関する選択可能な選択肢は、一部の実施形態において、テレビ会議の最後に生成され、装置１００／２００のユーザと通信される。本明細書に記載のように、ユーザが、特定の動画に接続するために必要とされる申込みをしていないと判断される場合、次いで、申込みの提案が、選択可能な画像について詳細な購入情報を介して、ユーザに行われる。
【００８３】
注目すべき、本明細書に記載の装置１００の使用の収益化は、購入情報を含む選択可能な画像を介して、つまり、ユーザの現在の状況および予想される要望と関連性のある有料の申込みの提案を含む。
【００８４】
このように、様々な実施形態が記載される。特定の実施形態が記載されてきたが、実施形態はそのような記載によって制限されると解釈されるべきではなく、むしろ以下の特許請求の範囲に従って解釈されることを理解されたい。
【００８５】
本明細書に記載されるすべての要素、部分、およびステップが、望ましいものとして含まれている。当業者には明らかであるように、これらの要素、部分、およびステップのいずれも他の要素、部分、およびステップで置き換え可能であり、あるいは完全に削除されてもよいことを理解されたい。
【００８６】
当業者は、本記載内で述べられる方法ステップが、これらに限定されないが、処理装置、少なくともキーボード、マウス、スキャナ、カメラを備える入力装置、少なくともモニタおよびプリンターを備える出力装置を含むハードウエアによって実行され得ることを理解するであろう。方法ステップは、必要時に適切な装置によって実行される。例えば、決定ステップは、決定アルゴリズムを実装することにより、処理装置内の決定実施ユニットによって実行され得る。当業者は、この決定実施ユニットが、前述の決定アルゴリズムを実行するときに、例えば、コンピュータの処理装置内に物理的にまたは効果的に存在可能であることを理解するであろう。前述の分析は、本明細書に記載される他のステップに適用される。
概念
本書は少なくとも以下の概念を開示する。
概念１．
第１の装置と第２の装置との間のテレビ会議を強化するためのコンピュータ実装方法であって、
前記第１の装置で、選択可能な動画表現の選択を介して、選択可能な動画の選択を受信することであって、前記選択可能な動画が前記テレビ会議を強化するために構成されることと、
前記選択可能な動画の前記選択を前記テレビ会議に組み込むことと、を含む、方法。
概念２．
前記第１の装置において、一組の選択可能な動画表現を表示することをさらに含む、概念１に記載のコンピュータ実装方法。
概念３．
一組の選択可能な動画表現を表現する選択可能な画像を表示することをさらに含み、それにより、前記選択可能な画像の選択が前記一組の選択可能な動画の表示をレンダリングする、概念１に記載のコンピュータ実装方法。
概念４．
前記選択可能な画像の選択を受信することに応答して、前記一組の選択可能な動画表現を表示することをさらに含む、概念３に記載のコンピュータ実装方法。
概念５．
前記一組の選択可能な動画表現の前記表示は、
前記第１の装置の表示スクリーン上の現在のコントロールバーと置き換わる動画コントロールバー内に前記一組の選択可能な動画表現を表示することを含む、概念４に記載のコンピュータ実装方法。
概念６．
前記一組の選択可能な動画表現の前記表示は、
前記一組の選択可能な動画表現をリスト形式で表示することを含む、概念４に記載のコンピュータ実装方法。
概念７．
前記一組の選択可能な動画表現の前記表示は、
前記一組の選択可能な動画表現をカルーセル形式で表示することを含む、概念４に記載のコンピュータ実装方法。
概念８．
前記第１の装置において、前記テレビ会議に組み込まれた前記選択可能な動画の前記選択を操作することをさらに含む、概念１〜７のいずれか１項に記載のコンピュータ実装方法。
概念９．
前記第２の装置において、前記テレビ会議に組み込まれた前記選択可能な動画の
前記選択を操作することをさらに含む、概念１〜７のいずれか１つに記載のコンピュータ実装方法。
概念１０．
前記テレビ会議の最後に、一組の選択可能な動画表現に関連する購入情報を前記第２の装置に表示することをさらに含む、概念１〜９のいずれか１項に記載のコンピュータ実装方法。
概念１１．
前記テレビ会議の最後に、一組の選択可能な動画表現に関連する購入情報を前記第１の装置に表示することをさらに含む、概念１〜９のいずれか１項に記載のコンピュータ実装方法。
概念１２．
テレビ会議に参加するために構成される装置であって、
第２の装置においてキャプチャされる映像を表示するために前記装置上に配置される表示装置と、
選択可能な動画表現の選択を介して、選択可能な動画の選択を受信するために構成される動画選択受信装置であって、前記選択可能な動画が前記テレビ会議を強化するために構成される、動画選択受信装置と、
前記選択可能な動画の前記選択を、前記第２の装置においてキャプチャされる前記映像中に組み込むように構成される動画組み込み装置と、
前記選択可能な動画の前記選択を含む前記映像を送信するための送信装置を備え、前記選択を含む前記映像が前記第２の装置に表示されるように構成される、装置。
概念１３．
前記選択可能な動画の前記選択を操作するように構成される動画操作装置をさらに備える、概念１２に記載の装置。
概念１４．
タッチスクリーン表示装置をさらに備える、概念１２または１３に記載の装置。
概念１５．
ビデオカメラをさらに備える、概念１２、１３、または１４に記載の装置。
概念１６．
マイクロフォンをさらに備える、概念１２、１３、１４、または１５に記載の装置。
概念１７．
実行されるとき、コンピュータ処理装置に
第１の装置における選択可能な動画表現の選択を介して、選択可能な動画の選択を受信することであって、前記選択可能な動画がテレビ会議を強化するために構成される、受信することと、
前記選択可能な動画の前記選択を前記テレビ会議に組み込むことと、
第２の装置において、前記選択可能な動画に関連する購入情報を表示することと、を含む方法を行わせる、記憶された命令を上に有する非一時的なコンピュータ可読記憶媒体。
概念１８．
前記第１の装置において、前記選択可能な動画に関連する前記購入情報を表示するための命令をさらに含む、概念１７に記載の非一時的なコンピュータ可読記憶媒体。
概念１９．
前記表示は、
前記テレビ会議の最後に、前記選択可能な動画に関連する前記購入情報を前記第２の装置に表示することを含む、概念１７に記載の非一時的なコンピュータ可読記憶媒体。
概念２０．
前記第１の装置における、前記選択可能な動画に関連する前記購入情報の前記表示は、
前記テレビ会議の最後に、前記選択可能な動画に関連する前記購入情報を前記第１の装置に表示することを含む、概念１９に記載の非一時的なコンピュータ可読記憶媒体。
概念２１．
前記第２の装置における、前記選択可能な動画に関連する前記購入情報の前記表示は、
ユーザに有料で限られた日数の間利用可能である動画パッケージを表示することを含む、概念１７に記載の非一時的なコンピュータ可読記憶媒体。
概念２２．
前記第２の装置における、前記選択可能な動画に関連する前記購入情報の前記表示は、
ユーザに無料で限られた日数の間利用可能である動画パッケージを表示することを含む、概念１７に記載の非一時的なコンピュータ可読記憶媒体。
概念２３．
前記第２の装置における、前記選択可能な動画に関連する購入情報の前記表示は、
第１の組の選択可能な購入情報画像を表示することを含み、それにより、前記第１の組の選択可能な購入情報画像の選択を受信することに応答して、第１の組の前記購入情報の詳細を表示する、概念１７に記載の非一時的なコンピュータ可読記憶媒体。
概念２４．
前記第２の装置における、前記選択可能な動画に関連する購入情報の前記表示は、
第２の組の選択可能な購入情報画像を表示することを含み、それにより、前記第２の組の第２の選択可能な購入情報画像の選択を受信することに応答して、第２の組の前記購入情報の詳細を表示する、概念１７に記載の非一時的なコンピュータ可読記憶媒体。
【図１】
2015505175.tif 000003
【図２】
2015505175.tif 000004
【図３】
2015505175.tif 000005
【図４】
2015505175.tif 000006
【図５】
2015505175.tif 000007
【図６】
2015505175.tif 000008
【手続補正書】
【提出日】平成26年11月28日(2014.11.28)
【手続補正１】
【補正対象書類名】特許請求の範囲
【補正対象項目名】全文
【補正方法】変更
【補正の内容】
【特許請求の範囲】
【請求項１】
第１の装置と第２の装置との間のテレビ会議を強化するためのコンピュータ実装方法であって、
前記第１の装置で、選択可能な動画表現の選択を介して、選択可能な動画の選択を受信することであって、前記選択可能な動画が前記テレビ会議を強化するために構成されることと、
前記選択可能な動画の前記選択を前記第２の装置においてキャプチャされる映像に組み込むことと、を含む、方法。
【請求項２】
前記第１の装置において一組の選択可能な動画表現を表示することをさらに含む、請求項１に記載のコンピュータ実装方法。
【請求項３】
一組の選択可能な動画表現を表す選択可能な画像を表示することをさらに含み、それにより、前記選択可能な画像の選択が前記一組の選択可能な動画の表示をレンダリングする、請求項１に記載のコンピュータ実装方法。
【請求項４】
前記選択可能な画像の選択を受信することに応答して、前記一組の選択可能な動画表現を表示することをさらに含む、請求項３に記載のコンピュータ実装方法。
【請求項５】
前記一組の選択可能な動画表現の前記表示は、
前記第１の装置の表示スクリーン上の現在のコントロールバーと置き換わる動画コントロールバー内に前記一組の選択可能な動画表現を表示することを含む、請求項４に記載のコンピュータ実装方法。
【請求項６】
前記一組の選択可能な動画表現の前記表示は、
前記一組の選択可能な動画表現をリスト形式で表示することを含む、請求項４に記載のコンピュータ実装方法。
【請求項７】
前記一組の選択可能な動画表現の前記表示は、
前記一組の選択可能な動画表現をカルーセル形式で表示することを含む、請求項４に記載のコンピュータ実装方法。
【請求項８】
前記第１の装置において、前記テレビ会議内に組み込まれた前記選択可能な動画の前記選択を操作することをさらに含む、請求項１に記載のコンピュータ実装方法。
【請求項９】
前記第２の装置において、前記テレビ会議内に組み込まれる前記選択可能な動画の前記選択を操作することをさらに含む、請求項１に記載のコンピュータ実装方法。
【請求項１０】
前記テレビ会議の最後に、一組の選択可能な動画表現に関連する購入情報を前記第２の装置に表示することをさらに含む、請求項１に記載のコンピュータ実装方法。
【請求項１１】
前記テレビ会議の最後に、一組の選択可能な動画表現に関連する購入情報を前記第１の装置に表示することをさらに含む、請求項１に記載のコンピュータ実装方法。
【請求項１２】
前記選択可能な動画が、前記第１の装置および／または前記第２の装置において操作されるように構成される、請求項１に記載のコンピュータ実装方法。
【請求項１３】
前記選択可能な動画が、前記テレビ会議の任意の時点で映像内に組み込まれるように構成される、請求項１に記載のコンピュータ実装方法。
【請求項１４】
テレビ会議に参加するために構成される装置であって、
第２の装置においてキャプチャされる映像を表示するために前記装置上に配置される表示装置と、
選択可能な動画表現の選択を介して、選択可能な動画の選択を受信するために構成される動画選択受信装置であって、前記選択可能な動画が前記テレビ会議を強化するために構成される、動画選択受信装置と、
前記選択可能な動画の前記選択を、前記第２の装置においてキャプチャされる前記映像中に組み込むように構成される動画組み込み装置と、を備える、装置。
【請求項１５】
前記選択可能な動画の前記選択を含む前記映像を送信するための送信装置をさらに備え、前記選択を含む前記映像が前記第２の装置に表示されるように構成される、請求項１４に記載の装置。
【請求項１６】
前記選択可能な動画の前記選択を操作するように構成される動画操作装置をさらに備える、請求項１４に記載の装置。
【請求項１７】
前記動画組み込み装置が、テレビ会議中の任意の時点で前記選択可能な動画の前記選択を映像に組み込むように構成される、請求項１４に記載の装置。
【請求項１８】
タッチスクリーン表示装置をさらに備える、請求項１４に記載の装置。
【請求項１９】
ビデオカメラをさらに備える、請求項１４に記載の装置。
【請求項２０】
マイクロフォンをさらに備える、請求項１４に記載の装置。
【請求項２１】
実行されるとき、コンピュータ処理装置に、
第１の装置における選択可能な動画表現の選択を介して、選択可能な動画の選択を受信することであって、前記選択可能な動画がテレビ会議を強化するために構成されることと、
前記選択可能な動画の前記選択を前記第２の装置においてキャプチャされる映像に組み込むことと、
第２の装置において、前記選択可能な動画に関連する購入情報を表示することと、を含む方法を行わせる、記憶された命令を有する非一時的なコンピュータ可読記憶媒体。
【請求項２２】
前記第１の装置において、前記選択可能な動画に関連する前記購入情報を表示するための命令をさらに含む、請求項２１に記載の非一時的なコンピュータ可読記憶媒体。
【請求項２３】
前記表示は、
前記テレビ会議の最後に前記第２の装置において、前記選択可能な動画に関連する前記購入情報を表示することを含む、請求項２１に記載の非一時的なコンピュータ可読記憶媒体。
【請求項２４】
前記第１の装置における、前記選択可能な動画に関連する前記購入情報の前記表示は、
前記テレビ会議の最後に前記第１の装置において、前記選択可能な動画に関連する前記購入情報を表示することを含む、請求項２３に記載の非一時的なコンピュータ可読記憶媒体。
【請求項２５】
前記第２の装置における、前記選択可能な動画に関連する前記購入情報の前記表示は、
ユーザに有料で限られた日数の間利用可能である動画パッケージを表示することを含む、請求項２１に記載の非一時的なコンピュータ可読記憶媒体。
【請求項２６】
前記第２の装置における、前記選択可能な動画に関連する前記購入情報の前記表示は、
ユーザに無料で限られた日数の間利用可能である動画パッケージを表示することを含む、請求項２１に記載の非一時的なコンピュータ可読記憶媒体。
【請求項２７】
前記第２の装置における、前記選択可能な動画に関連する購入情報の前記表示は、
第１の組の選択可能な購入情報画像を表示することを含み、それにより、前記第１の組の選択可能な購入情報画像の選択を受信することに応答して、第１の組の前記購入情報の詳細を表示する、請求項２１に記載の非一時的なコンピュータ可読記憶媒体。
【請求項２８】
前記第２の装置における、前記選択可能な動画に関連する購入情報の前記表示は、
第２の組の選択可能な購入情報画像を表示することを含み、それにより、前記第２の組の第２の選択可能な購入情報画像の選択を受信することに応答して、第２の組の前記購入情報の詳細を表示する、請求項２１に記載の非一時的なコンピュータ可読記憶媒体。 
【請求項２９】
第１の装置と第２の装置との間のテレビ会議を強化するためのコンピュータ実装方法であって、
前記第１の装置で、選択可能な動画表現の選択を介して、記録された選択可能な動画の選択を受信することであって、前記記録された選択可能な動画が前記テレビ会議を強化するために構成されることと、
前記記録された選択可能な動画の前記選択を前記テレビ会議に組み込むことであって、
前記映像及び前記記録された選択可能な動画の前記選択のそれぞれの全体が同時に見えるように、前記記録された選択可能な動画の前記選択を前記第１の装置の前記テレビ会議の映像上のオーバーレイとして重ねることを含む前記組み込むことと、
を含む方法。
【請求項３０】
第１の装置と第２の装置との間のテレビ会議を強化するためのコンピュータ実装方法であって、
前記第１の装置で、選択可能な動画表現の選択を介して、選択可能な動画の選択を受信することであって、前記選択可能な動画が前記テレビ会議を強化するために構成されることと、
前記選択可能な動画の前記選択を前記テレビ会議に組み込むことであって、
前記選択可能な動画が前記第１の装置及び前記第２の装置上に表示されるオーバーレイとして同時に重ねられるように、前記選択可能な動画の前記選択を映像上のオーバーレイとして重ねることを含む前記組み込むことと、
を含む、方法。
【請求項３１】
テレビ会議に参加するために構成される装置であって、
第２の装置においてキャプチャされる映像を表示するために前記装置上に配置される装置と、
選択可能な動画表現の選択を介して、記録された選択可能な動画の選択を受信するために構成される動画選択受信装置であって、前記記録された選択可能な動画が前記テレビ会議を強化するために構成される、動画選択受信装置と、
前記記録された選択可能な動画の前記選択を、前記第２の装置においてキャプチャされる前記映像中に組み込むように構成される動画組み込み装置と、
前記記録された選択可能な動画の前記選択を含む前記映像を送信するための送信装置であって、前記選択を含む前記映像が前記第２の装置に表示されるように構成される送信装置であり、
前記記録された選択可能な動画の前記選択を映像に組み込むことが、前記映像及び前記記録された選択可能な動画の前記選択のそれぞれの全体が同時に見えるように、前記記録された選択可能な動画の前記選択を前記第１の装置の前記映像上のオーバーレイとして重ねることを備える送信装置と、
を備える装置。
【請求項３２】
テレビ会議に参加するために構成される装置であって、
第２の装置においてキャプチャされる映像を表示するために前記装置上に配置される装置と、
選択可能な動画表現の選択を介して、選択可能な動画の選択を受信するために構成される動画選択受信装置であって、前記選択可能な動画が前記テレビ会議を強化するために構成される、動画選択受信装置と、
前記選択可能な動画の前記選択を、前記第２の装置においてキャプチャされる前記映像中に組み込むように構成される動画組み込み装置と、
前記選択可能な動画の前記選択を含む前記映像を送信するための送信装置であって、前記選択を含む前記映像が前記第２の装置に表示されるように構成される送信装置であり、
前記選択可能な動画の前記選択を映像に組み込むことが、前記選択可能な動画が前記第１の装置及び前記第２の装置上に表示されるオーバーレイとして同時に重ねられるように、前記選択可能な動画の前記選択を映像上のオーバーレイとして重ねることを備える送信装置と、
を備える装置。
【請求項３３】
実行されるとき、コンピュータ処理装置に、
第１の装置における選択可能な動画表現の選択を介して、記録された選択可能な動画の選択を受信することであって、前記記録された選択可能な動画がテレビ会議を強化するために構成されることと、
前記記録された選択可能な動画の前記選択を前記テレビ会議に組み込むことと、
第２の装置において、前記記録された選択可能な動画に関連する購入情報を表示することであって、
前記記録された選択可能な動画の前記選択を前記映像中に組み込むことは、前記映像及び前記記録された選択可能な動画の前記選択のそれぞれの全体が同時に見えるように、前記記録された選択可能な動画の前記選択を前記映像上のオーバーレイとして重ねることを含む表示をすることと、
を含む方法を行わせる、記憶された命令を有する非一時的なコンピュータ可読記憶媒体。
【請求項３４】
実行されるとき、コンピュータ処理装置に、
第１の装置における選択可能な動画表現の選択を介して、選択可能な動画の選択を受信することであって、前記選択可能な動画がテレビ会議を強化するために構成されることと、
前記選択可能な動画の前記選択を前記テレビ会議に組み込むことと、
第２の装置において、前記選択可能な動画に関連する購入情報を表示することであって、
前記選択可能な動画の前記選択を前記映像中に組み込むことは、前記選択可能な動画が前記第１の装置及び前記第２の装置上に表示されるオーバーレイとして同時に重ねられるように、前記選択可能な動画の前記選択を映像上のオーバーレイとして重ねることを含む表示をすることと、
を含む方法を行わせる、記憶された命令を有する非一時的なコンピュータ可読記憶媒体。
【国際調査報告】
2015505175.tif 000009
2015505175.tif 000010